(57)【要約】【課題】空調空気を多方向に吹出させるワイド気流を実現し、室内の温度ムラを低減させることが可能な空気調和装置を提供する。【解決手段】床置型空気調和機１は、ケーシング４と、ケーシング４において空調空気の平面的な吹出方向Ｄ３と交差する幅方向Ｄ１に沿って形成され、吹出方向Ｄ３に凸状に湾曲している吹出口６と、幅方向Ｄ１に複数配置され、幅方向Ｄ１と交差する高さ方向Ｄ２に揺動可能な水平フラップ８０とを備えている。【選択図】図３
2010019490.tif 000002
【特許請求の範囲】
【請求項１】
ケーシング（４）と、
前記ケーシングにおいて空調空気の平面的な吹出方向（Ｄ３）と交差する幅方向（Ｄ１）に沿って形成され、前記吹出方向に凸状に湾曲している吹出口（６）と、
前記幅方向に複数配置され、前記幅方向と交差する高さ方向（Ｄ２）に揺動可能なフラップ（８０）と、
を備えている、空気調和装置（１）。
【請求項２】
前記ケーシングにおいて空調空気の平面的な吹出方向（Ｄ３）と交差する幅方向（Ｄ１）に沿って形成され、前記吹出方向に凸状に湾曲している吸込口（５）をさらに備えている、
請求項１に記載の空気調和装置。
【請求項３】
前記複数のフラップは、前記高さ方向において複数配置されている、
請求項１または２に記載の空気調和装置。
【請求項４】
前記フラップは、前記高さ方向と前記幅方向とに整列するように配置されており、
前記高さ方向に整列された同列（Ｇ１〜Ｇ５）の前記フラップは、連動して揺動する、
請求項３に記載の空気調和装置。
【請求項５】
前記吹出口は、平面視において９０度以上の吹出角度が確保されている、
請求項１から４のいずれか１項に記載の空気調和装置。
【請求項６】
前記吹出口は、平面視において、半円状であって１８０度以上の吹出角度が確保されている、
請求項１から４のいずれか１項に記載の空気調和装置。
【請求項７】
床置き型である、請求項１から６のいずれか１項に記載の空気調和装置。
【発明の詳細な説明】
【技術分野】
【０００１】
本発明は、室内に設置される空気調和装置に関する。
【背景技術】
【０００２】
室内に設置される空気調和装置においては、従来より、空調空気の吹出口近傍にフラップ等を設け、そのフラップにより空調空気の吹き出す向きを変えている。これにより、ユーザが希望する方向に空調空気を吹き出すようにしている。
【０００３】
例えば、特許文献１においては、開状態において、第１板部が第１吹出口の中心よりも外側に位置し、第２板部が第２吹出口の中心よりも外側に位置する床置型空気調和機が開示されている。この床置き型空気調和機によれば、吹出口から吹き出された空気が外側へと分散することをフラップによって制限することで、空気の吹き出しを正面方向へ容易に集約することができる。
【０００４】
特許文献２によれば、空気吹出口の端部側部分を中央側部分よりも、壁面または天井面に対して遠ざけるように湾曲させて、空気吹出口の端部側部分において吹出口背後空間への誘引空気流と壁面または天井面との接触を緩和する空気調和装置が開示されている。これにより、壁面、または、天井面に付着する汚れを低減している。
【０００５】
特許文献３によれば、円弧状に形成されたケーシングに高さ方向に細長いスリット状の吹出口を形成し、その空気吹出口を左右方向に沿って移動、すなわち、スイングさせる空気調和装置が開示されている。これにより、空調空気の多方向吹出を可能としている。
【特許文献１】特開２００６−６４２１７号公報
【特許文献２】特開２００２−２２８２４４号公報
【特許文献３】特開２００２−２４３２６０号公報
【発明の開示】
【発明が解決しようとする課題】
【０００６】
空気調和装置においては、設置されている室内空間に対して所望の方向に空調空気を吹き出したいという要望がある。ところが、例えば、従来の直方体形状のケーシングを有する空気調和装置においては、吹出口の幅は必然的に製品幅で決まり、空気調和装置の左右方向に広く空調空気を行き渡せることは難しい。また、上記に示した特許文献１、特許文献２においても、ある対象部分（特許文献１では装置正面、特許文献２においては設置壁、設置天井）に対しては、空調空気の向きをコントロールすることができるが、設置されている室内空間を対象に空調空気の流れをコントロールすることはできない。特許文献３においては、設置されている室内空間に対して自由に吹出方向をコントロールすることは可能であるが、スイングを前提としているため、ドラフト等の不具合を回避することはできない。
【０００７】
本発明は、上記従来の課題を解決するもので、室内空間に対する空調空気の吹出方向を自由にコントロールすることができ、快適性を向上させることが可能となる空気調和装置を提供することを目的とする。
【課題を解決するための手段】
【０００８】
第１の発明に係る空気調和装置は、ケーシングと、吹出口と、フラップとを備えている。吹出口は、ケーシングにおいて空調空気の平面的な吹出方向と交差する幅方向に沿って形成され、吹出方向に凸状に湾曲している。フラップは、幅方向に複数配置され、幅方向と交差する高さ方向に揺動可能である。
【０００９】
ここでは、吹出口を平面視において空調空気の吹出方向に凸な湾曲状に形成し、空調空気を平面的に多方向に吹き出せるようにしている。そして、幅方向と交差する高さ方向に揺動可能なフラップを幅方向に複数配置することによって、吹出口における幅方向の一部を開閉可能としている。
【００１０】
空気調和装置においては、設置されている室内空間に対して所望の方向に空調空気を吹き出したいという要望がある。ところが、従来の直方体形状の空気調和装置においては、吹出口の幅が製品幅で必然的に決まるので多方向に広く吹き出させることは難しい。また、吹出口をスイングさせて空調空気の吹出方向を調整する方法では、空調空気の吹出方向をきめ細かに設定することは難しい。
【００１１】
そこで、本発明の空気調和装置においては、ケーシングの幅方向に沿って形成される吹出口を空調空気の平面的な吹出方向に対して凸となるよう湾曲状に形成し、幅方向と交差する高さ方向に揺動可能なフラップを幅方向に複数配置している。すなわち、従来、幅方向に沿って配置されていた１枚物のフラップを幅方向に複数に分割し、平面的に湾曲状の吹出口に沿って配置している。
【００１２】
これにより、放射状に空調空気を吹き出すことが可能となる。さらに、幅方向に沿って配置されている一部のフラップの向きを調整して、吹出口の幅方向の一部を閉めることができるので、例えば、正面方向には空調空気を吹き出さず、左右方向には同時に空調空気を吹き出す等の調整をすることが可能となる。
【００１３】
この結果、例えば、空気調和装置の正面に空調空気が吹き出さないようにフラップを調整する等、室内空間に対する空調空気の吹出方向を自由にコントロールすることができ、ドラフトを低減できる等の快適性を向上させることが可能となる。
【００１４】
第２の発明に係る空気調和装置は、第１の発明に係る空気調和装置であって、ケーシングにおいて空調空気の平面的な吹出方向と交差する幅方向に沿って形成され、吹出方向に凸状に湾曲している吸込口をさらに備えている。
【００１５】
これにより、吹出口だけでなく、吸込口の面積も広くすることができるので、通風抵抗を低減させることができ、送風音を大きくすることなく、また、風速を上げることなく、大風量化を図ることが可能となる。
【００１６】
第３の発明に係る空気調和装置は、第１または第２の発明に係る空気調和装置であって、複数のフラップは、湾曲状に形成した吹出口の高さ方向において複数配置されている。
【００１７】
ここでは、複数のフラップが高さ方向に並んで配置されている。
【００１８】
これにより、室内の気流の流れを効率よく制御することが可能となる。
【００１９】
第４の発明に係る空気調和装置は、第３の発明に係る空気調和装置であって、フラップは、湾曲状に形成した吹出口の高さ方向と幅方向とに整列するように配置されており、高さ方向に整列された同列のフラップは、連動して揺動する。
【００２０】
ここでは、吹出口に配置される複数のフラップが、高さ方向と幅方向とに整列して配置され、同列に配置されているフラップが連動して揺動する。
【００２１】
これにより、室内の気流の流れを効率よく制御することが可能となる。
【００２２】
第５の発明に係る空気調和装置は、第１から第４の発明のいずれか１つに係る空気調和装置であって、吹出口は、平面視において９０度以上の吹出角度が確保されている。
【００２３】
これにより、空気調和装置の２面が壁に接する、例えば、矩形状室内の隅部に設置された場合であっても、背面の壁以外の全方向に向けて空調空気を吹き出すことが可能なワイド気流を実現することができる。
【００２４】
第６の発明に係る空気調和装置は、第１から第４の発明のいずれか１つに係る空気調和装置であって、平面視において、半円状であって１８０度以上の吹出角度が確保されている。
【００２５】
これにより、空気調和装置が背面を壁にして設置された場合であっても、背面の壁以外の全方向に向けて空調空気を吹き出すワイド気流を実現することができる。
【００２６】
第７の発明に係る空気調和装置は、第１から第６の発明のいずれか１つに係る空気調和装置であって、床置き型である。
【００２７】
これにより、本発明を床置き型の空気調和装置に適用することができる。
【発明の効果】
【００２８】
第１の発明に係る空気調和装置によれば、室内空間に対する空調空気の吹出方向を自由にコントロールすることができ、快適性を向上させることが可能となる。
【００２９】
第２の発明に係る空気調和装置によれば、吹出口だけでなく、吸込口の面積も広くすることができるので、通風抵抗を低減させることができ、送風音を大きくすることなく、また、風速を上げることなく、大風量化を図ることが可能となる。
【００３０】
第３の発明に係る空気調和装置によれば、室内の気流の流れを効率よく制御することが可能となる。
【００３１】
第４の発明に係る空気調和装置によれば、吹出口を広く確保することが可能となる。
【００３２】
第５の発明に係る空気調和装置によれば、背面の壁以外の全方向に向けて空調空気を吹き出すことが可能なワイド気流を実現することができる。
【００３３】
第６の発明に係る空気調和装置によれば、背面の壁以外の全方向に向けて空調空気を吹き出すワイド気流を実現することができる。
【００３４】
第７の発明に係る空気調和装置によれば、本発明を床置き型の空気調和装置に適用することができる。
【発明を実施するための最良の形態】
【００３５】
本発明の一実施形態に係る床置型床置型空気調和機（空気調和装置）１について、図１〜図８を用いて説明すれば以下の通りである。なお、本実施形態において、「横方向」あるいは「左右」というときは、水平方向のうち、図１の正面視における幅方向をいうものとする（実線矢印Ｄ１参照）。また、「鉛直方向」、あるいは、「上下」という場合には、図１に示す正面視における高さ方向をいうものとする（実線矢印Ｄ２参照）。また、「前後」、あるいは、「奥行」という場合には、水平方向のうち、図３の平面視における奥行方向をいうものとする（実線矢印Ｄ３参照）。
【００３６】
［床置型空気調和機１の構成］
本発明の一実施形態に係る床置型空気調和機１は、家庭の室内の床Ｆに設置される空気調和機であり、冷暖房等の室内の空気調和を行う。床置型空気調和機１は、室外に配置される室外機（図示せず）と接続されており、室外機に収容される図示しない圧縮機や室外熱交換器との間で冷媒回路を構成する。床置型空気調和機１は、図１，図２に示すように、主として、熱交換器２、ファン３、ケーシング４とを備えている。
【００３７】
（熱交換器２）
熱交換器２は、図１および図２に示すように、ケーシング４の内部に収容されており、ケーシング４内に取り込まれた空気との間で熱交換を行う。熱交換器２は、図２に示すように、床置型空気調和機１の上方に配置されている。また、熱交換器２は、図４に示すように、上部が床置型空気調和機１の後側へ傾斜するように設けられている。なお、図２は、前面パネル４３が取り外された床置型空気調和機１の正面図であり、図３は、図１におけるＩ−Ｉ断面図であり、図４は、図１におけるＩＩ−ＩＩ断面図である。
【００３８】
（ファン３）
ファン３は、図２に示すように、ケーシング４の内部に収容されている。ファン３は、室内の空気を後述する吸込口５（図１参照）からケーシング４内に吸込んだ後、熱交換器２に通し、吹出口６へと送る。ファン３は、床置型空気調和機１の正面と平行な面内で回転するように配置された一台のシロッコファンであり、熱交換器２の下方に設けられる。そして、ファン３は、図２に示すように、ファンケーシング３０に収容されている。ファンケーシング３０は、ファン３の側面に沿ってファン３の円周の約４分の３を囲む円弧状の側面３２を有しており、ファン３の側面に対向するように配置されている。ファンケーシング３０は、ファン３の側面の左半分と右側の下半分を囲んでいる。また、ファンケーシング３０には、ファンケーシング出口３１が設けられている。ファンケーシング出口３１は、ファン３から上方の熱交換器２へ向けて空気が出て行く部分であり、ファンケーシング３０に囲まれていないファン３の右側の上半分に面する位置に配置されている。ファンケーシング出口３１は、ファン３の回転中心から右方向に偏心して設けられる。なお、ファン３は、図２において左回りに回転して熱交換器２へと空気を送る。
【００３９】
（ケーシング４）
ケーシング４は、図１に示すように、熱交換器２やファン３などを収容する、高さ方向Ｄ２に長い箱状の部材である。ケーシング４の前面４ａは、図３に示すように、平面視において半円状に形成されている。そして、ケーシング４は、吹出口６、吸込口５、前面パネル４３を備えている。
【００４０】
＜吹出口６＞
吹出口６は、図１に示すように、ケーシング４の前面４ａの上部に設けられており、熱交換器２により温度調整された空気が吹出す。なお、送風運転時などには、吹出口６から温度調整されていない空気が吹き出してもよい。
【００４１】
吹出口６は、図１に示すように、ケーシング４の前面４ａに幅方向Ｄ１に沿って形成され、図３、図５に示すように、平面視において、奥行方向（吹出方向）Ｄ３に凸状の半円状に形成されている。吹出口６は、このように形成されることによって、平面視において１８０度の吹出角度を有している。これにより、従来、略正面にしか吹き出すことができなかった空調空気を、多方向に吹き出させることを可能としている。
【００４２】
また、吹出口６には、図６（ａ）に示すように、幅方向Ｄ１に５枚の水平フラップ（フラップ）８０が配置されている。さらに、水平フラップ８０は、図６（ｂ）に示すように、高さ方向Ｄ２に１０段配置されている。以下、各水平フラップ８０の配置や構造等について、水平フラップ部８として詳述する。
【００４３】
＜水平フラップ部８＞
水平フラップ部８は、吹出口６から吹き出される空気を案内して高さ方向Ｄ２に対する吹出方向を調整するための部分である。
【００４４】
水平フラップ８０は、上述したように、幅方向Ｄ１と高さ方向Ｄ２とに並んで配置されており、吹出口６から吹き出す空調空気を高さ方向Ｄ２に吹き分けるように案内する。本実施形態では、水平フラップ８０は、図６（ｂ）に示すように、正面視において左側から第１水平フラップ群Ｇ１、第２水平フラップ群Ｇ２、第３水平フラップ群Ｇ３、第４水平フラップ群Ｇ４、第５水平フラップ群Ｇ５、の５つのグループに分割されており、１つのグループは、高さ方向Ｄ２に１０枚の水平フラップ８０を有している。
【００４５】
以下、第１水平フラップ群Ｇ１を例に説明を行う。なお、第２〜第５水平フラップ群Ｇ２〜Ｇ５についても同様の構造であるので、ここではその説明を省略する。
【００４６】
水平フラップ８０は、図７に示すように、後述するリンク部材８１と連結するための第１取付部８０ａと、後述するフラップ固定部８４と連結するための第２取付部８０ｂが、正面視において背面側に形成されている。
【００４７】
リンク部材８１は、高さ方向Ｄ２に並んで配置されている水平フラップ８０を連結するための部材であって、図７に示すように、第１取付部８０ａと嵌合させるための第１嵌合部８１ａが１０箇所に形成されている。そして、水平フラップ８０は、第１取付部８０ａを第１嵌合部８１ａに嵌合させることによって、リンク部材８１と連結される。
【００４８】
フラップ固定部８４は、高さ方向Ｄ２に並んで配置されている水平フラップ８０を固定するための部位であって、図７に示すように、第２取付部８０ｂと嵌合させるための第２嵌合部８４ｂが高さ方向Ｄ２において１０箇所に形成されている。そして、水平フラップ８０は、第２取付部８０ｂを第２嵌合部８４ａに嵌合させることによって、フラップ固定部８４と固定される。また、フラップ固定部８４の上端と下端とは、ケーシング４に固定されている。
【００４９】
第１水平フラップ群Ｇ１は、上記に示した構造によって、水平フラップ８０を連動して揺動させることが可能となる。具体的には、ユーザが、高さ方向Ｄ２に並んで配置されている水平フラップ８０の一つを掴んで角度を調整すると、リンク部材８１を介して連結されている全ての水平フラップ８０、すなわち、同列のグループに配置された水平フラップ８０が連動して揺動する。
【００５０】
なお、同列（Ｇ１〜Ｇ５）のフラップを連動して揺動する構造は、上記に示したものに限らない。
【００５１】
＜吸込口５＞
吸込口５は、図１および図４に示すように、ケーシング４の前面４ａの下半分に設けられており、室内の空気をケーシング４内へと吸込む。吸込口５は、図１に示すように、ケーシング４の前面４ａに幅方向Ｄ１に沿って形成され、平面視において、吹出方向Ｄ３に凸状の半円状に形成されている。吸込口６は、このように形成されることによって、平面視において１８０度の吹出角度を有し、従来の空気調和装置に比べて、吸込口５の面積を広くすることを可能としている。
【００５２】
＜前面パネル４３＞
前面パネル４３は、図１に示すように、ケーシング４の前面４ａに高さ方向Ｄ２に渡って設けられており、室内温度、室外温度や運転の設定や表示をするインタフェイス部４４が配置されている。
【００５３】
〔吹出口６の形状および水平フラップ８０による効果〕
本発明において特徴的な水平フラップ８０の動作および空気の流れについて詳述する。
まず、ファン３が回転すると室内の空気が吸込口５（図４参照）からケーシング４内に取り込まれる。取り込まれた空気は、ファン３の回転により、ファンケーシング出口３１からファン３の上方へと送られて熱交換器２を通り、吹出口６から室内へと吹出す。このとき、水平フラップ部８によって空気の風向を上下に変更することができる。
【００５４】
本実施形態における床置型空気調和機１では、同列に配置されている第１水平フラップ群Ｇ１から第５水平フラップ群Ｇ５単位でそれぞれ独立して水平フラップ８０の角度を変更することができる。すなわち、同一のフラップ群に配置された水平フラップ８０は連動して揺動する。そして、ユーザは、所望の角度に各フラップ８０の向きを設定することができる。また、水平フラップ８０は、その向きを高さ方向Ｄ２に合わせることによって空調空気の吹き出しを遮断することができる。これにより、例えば、両サイドの水平フラップ群Ｇ１，Ｇ５の水平フラップ８０の向きを高さ方向Ｄ２に合わせることによって、正面方向に近い範囲のみに向かって空調空気を吹き出すことが可能となる。すなわち、水平フラップ８０は、空調空気の高さ方向Ｄ２に対する吹出方向を調整するだけでなく、空調空気の吹出範囲を調整することも可能としている。
【００５５】
本実施形態の空気調和装置においては、上述したような、ケーシング４の前面４ａに幅方向Ｄ１に沿って形成され、平面視において半円状に形成されている吹出口６と、吹出口６に沿って各水平フラップ群Ｇ１〜Ｇ５単位で揺動可能に配置されている水平フラップ８０と、を有していることにより、従来の空気調和装置が抱える問題を解消することが可能となる。
【００５６】
すなわち、空気調和装置が設置されている室内空間に対して所望の方向に空調空気を吹き出したいという要望が従来よりあるが、吹出口の幅が製品幅で必然的に決まるので多方向に広く吹き出させることは難しかった。具体的には、図８（ａ）に示すように、従来の床置型空気調和装置２０１では、空調空気を吹き出す方向が一定の範囲でしか調整することができず、空調空気の行き届かない領域Ａ１（温度ムラ領域）が発生していた。
【００５７】
ここで、本実施形態の床置型空気調和機１を設置した場合について説明する。すなわち、本実施形態の床置型空気調和機１の特徴である吹出口６を、上述した半円状に形成することによって、空調空気は、図８（ｂ）に示すように、室内空間の全方向に向かって吹き出すことが可能となる。
【００５８】
さらに、例えば、図６（ａ）に示すように、第３水平フラップ群Ｇ３に属する水平フラップ８０を全て高さ方向Ｄ２の向きに調整し、他の水平フラップ群Ｇ１，Ｇ２，Ｇ４，Ｇ５の水平フラップ８０を空調空気が吹き出せる程度に調整した場合について説明する。この時、床置型空気調和機１は、正面視における中央部分からは、空調空気を吹き出すことができないので、図８（ｂ）に示すような方向に空調空気を吹き出している状態となる。これにより、床置型空気調和機１正面におけるドラフトを低減させることが可能となる。
【００５９】
〔吸込口５の形状による効果〕
本発明においては、吸込口５が、図１に示すように、ケーシング４の前面４ａに幅方向Ｄ１に沿って形成され、平面視において、吹出方向Ｄ３に凸状の半円状に形成されている。これにより、吹出口６だけでなく、吸込口５の面積も広くすることができるので、通風抵抗を低減させることができ、従来の空気調和装置と比べて、送風音を大きくすることなく、また、風速を上げることなく大風量化を図ることができる。この結果、風量を同じとした場合には、送風音を低減することが可能となり、ドラフトの低減を図ることが可能となる。
【００６０】
［床置型空気調和機１の特徴］
（１）
本実施形態の床置型空気調和機１においては、吹出口６が、図１に示すように、ケーシング４の前面４ａに幅方向Ｄ１に沿って形成され、図３に示すように、平面視において半円状に形成されている。これにより、従来、略正面にしか吹き出すことができなかった空調空気を、多方向に吹き出させることを可能としている。また、図６（ａ）に示すように、幅方向Ｄ１に５枚の水平フラップ（フラップ）８０が配置されている。これにより、水平フラップ８０の一部の向きを調整することによって、空調空気の吹き出す範囲をきめ細かに調整することが可能となる。この結果、室内空間に対する空調空気の吹出方向を自由にコントロールすることができ、快適性を向上させることが可能となる。
【００６１】
（２）
本実施形態の床置型空気調和機１では、吸込口５が、図１に示すように、ケーシング４の前面４ａに幅方向Ｄ１に沿って形成され、平面視において、吹出方向Ｄ３に凸状の半円状に形成されている。これにより、送風音を低減することが可能となり、ドラフトの低減を図ることが可能となる。
【００６２】
（３）
本実施形態の床置型空気調和機１では、水平フラップ８０が、図６（ｂ）に示すように、高さ方向Ｄ２に１０段配置されている。これにより、室内の気流の流れを効率よく制御することを可能としている。
【００６３】
（４）
本実施形態の床置型空気調和機１では、同列に配置されている第１水平フラップ群Ｇ１から第５水平フラップ群Ｇごとに、水平フラップ８０の角度を変更することができる。これにより、室内の気流の流れを効率よく制御することを可能としている。
【００６４】
（５）
本実施形態の床置型空気調和機１では、吹出口６が、図３に示すように、平面視において半円状であって１８０度の吹出角度を有している。これにより、従来、略正面にしか吹き出すことができなかった空調空気を、多方向に吹き出させることを可能としている。
【００６５】
［他の実施形態］
以上、本発明の一実施形態について説明したが、本発明は上記実施形態に限定されるものではなく、発明の要旨を逸脱しない範囲で種々の変更が可能である。
【００６６】
（Ａ）
上記実施形態の床置型空気調和機１では、吹出口６が、図３に示すように、平面視において半円状に形成され、１８０度の吹出角度を有している例を挙げて説明した。しかし、本発明はこれに限定されるものではない。
【００６７】
例えば、図９に示すように、吹出口１１２は、平面視において９０度の吹出角度を有する円弧状に形成されても、上記の実施形態に係る床置型空気調和機１と同様の効果を得ることができる。具体的には、平面視において９０度の吹出角度を有する円弧状の吹出口１１２を有する床置型空気調和機１０１は、図１０（ａ）に示すように、矩形の室内の隅部に配置される場合であっても、室内空間の全方向に空調空気を吹き出すことが可能となる。これにより、従来の床置型空気調和装置３０１が、図１０（ｂ）に示すように、空調空気の行き届かない領域Ａ２（温度ムラ領域）の発生を抑制することが可能となる。
【００６８】
（Ｂ）
上記実施形態の床置型空気調和機１では、幅方向Ｄ１に水平フラップ８０が５枚配置されている例を挙げて説明した。しかし、本発明はこれに限定されるものではない。
【００６９】
例えば、幅方向に配置される水平フラップの枚数は、６枚、７枚等であってもよく、幅方向のサイズに合わせた枚数の水平フラップを配置してもよい。
【００７０】
（Ｃ）
上記実施形態の床置型空気調和機１では、水平フラップ８０が、高さ方向Ｄ２に１０段配置されている例を挙げて説明した。しかし、本発明はこれに限定されるものではない。
【００７１】
例えば、水平フラップは、幅方向に５段配置する等してもよい。
【００７２】
（Ｄ）
上記実施形態の床置型空気調和機１では、水平フラップ８０の高さ方向Ｄ２に対する吹出方向の調整をユーザが手動で行う例を挙げて説明した。しかし、本発明はこれに限定されるものではない。
【００７３】
例えば、水平フラップの高さ方向Ｄ２に対する向きの調整は、手動で調整されるだけではなく、水平フラップ群のそれぞれに駆動モーターを設け、駆動力によって調整するようにしてもよい。
【００７４】
（Ｅ）
上記実施形態の床置型空気調和機１では、吹出口６が、ケーシング４の前面４ａの上部に設けられている例を挙げて説明した。しかし、本発明はこれに限定されるものではない。
【００７５】
例えば、吹出口は、ケーシングの前面において上半分の位置全体にわたって配置してもよい。
【００７６】
（Ｆ）
上記実施形態の床置型空気調和機１では、床Ｆに設置する床置型である例を挙げて説明した。しかし、本発明はこれに限定されるものではない。
【００７７】
例えば、空気調和装置は、天井に吊り下げられて設置される天井吊り下げ型のものであってもよいし、壁面に掛けられて設置される壁面設置型ものであってもよい。
【産業上の利用可能性】
【００７８】
本発明によれば、室内空間に対する空調空気の吹出方向を自由にコントロールすることができ、快適性を向上させることが可能になるため、空気調和装置、温風装置、冷風装置、除湿器等、各種装置内から空気を吹き出す機器への適用が特に有用である。
【図面の簡単な説明】
【００７９】
【図１】本発明の一実施形態に係る空気調和装置の正面図。
【図２】本発明の一実施形態に係る空気調和装置の前面カバーを取り外したときの正面図。
【図３】図１の空気調和装置におけるＩ−Ｉ断面図。
【図４】図１の空気調和装置におけるＩＩ−ＩＩ断面図。
【図５】図１の空気調和装置における外観図。
【図６】（ａ）、（ｂ）は、吹出口に配置された水平フラップの配置を示した平面図、正面図。
【図７】水平フラップの構造を示す斜視図。
【図８】（ａ）は、従来の空気調和装置の空調空気の流れを説明する説明図。（ｂ）は、本発明の実施形態に係る空気調和装置の空調空気の流れを説明する説明図。
【図９】本発明の他の実施形態に係る空気調和装置における外観図。
【図１０】（ａ）は、従来の空気調和装置の空調空気の流れを説明する説明図。（ｂ）は、本発明の他の実施形態に係る空気調和装置の空調空気の流れを説明する説明図。
【符号の説明】
【００８０】
１        床置型空気調和機（空気調和装置）
２        熱交換器
３        ファン
４        ケーシング
４ａ      ケーシングの前面
５        吸込口
６        吹出口
８        水平フラップ部
２１      フラップ調整機構
３０      ファンケーシング
３１      ファンケーシング出口
３２      側面
４３      前面パネル
４４      インタフェイス部
８０      水平フラップ（フラップ）
８０ａ    第１取付部
８０ｂ    第２取付部
８１      リンク部材
８１ａ    第１嵌合部
８４      フラップ固定部
８４ａ    第２嵌合部
８５，８６      係止爪
８７      突起
８９      操作部
９０      凹部
１０１    床置型空気調和機
１１２    吹出口
２０１    従来の床置型空気調和装置
３０１    従来の床置型空気調和装置
Ｄ１      幅方向
Ｄ２      高さ方向
Ｄ３      奥行方向
Ｇ１〜Ｇ５      水平フラップ群
Ｆ        床
【図１】
2010019490.tif 000003
【図２】
2010019490.tif 000004
【図３】
2010019490.tif 000005
【図４】
2010019490.tif 000006
【図５】
2010019490.tif 000007
【図６】
2010019490.tif 000008
【図７】
2010019490.tif 000009
【図８】
2010019490.tif 000010
【図９】
2010019490.tif 000011
【図１０】
2010019490.tif 000012